(57)【要約】      （修正有）【課題】樹脂系屋根材に重合される他の樹脂系屋根材の下端側（軒側）の吹き上がりを軽減してガタツキを防止できるうえ、雨水等が前記樹脂系屋根材の上端側（棟側）を乗り越えることを防止して、雨漏りが生じることを防止可能な樹脂系屋根材の取付構造を提供する。【解決手段】樹脂系屋根材Ａの取付構造であって、前記樹脂系屋根材Ａは、波状に形成された瓦部Ａ１が、上下及び左右方向に複数連設して一体形成され、上端部には、表面側に向けて突設する上段部１を形成すると共に、下端部には、他の樹脂系屋根材に重合下段部２を形成し、更に、一方の対角の角部には、他の樹脂系屋根材と重合する部分を切り欠いた切欠部３を形成してなり、屋根の下地材上に固定した前記樹脂系屋根材Ａの一側に、他の樹脂系屋根材の他側を重合しながら左右方向に葺くと共に、前記樹脂系屋根材Ａの上段部１に、他の樹脂系屋根材の下段部を重合して上方向に葺いてなる。【選択図】図１
2009185558.tif 000002
【特許請求の範囲】
【請求項１】
家屋等の屋根上に葺かれる樹脂系屋根材の取付構造であって、
前記樹脂系屋根材は、波状に形成された瓦部が、上下及び左右方向に複数連設して一体形成され、上端部には、表面側に向けて突設する上段部を形成すると共に、下端部には、他の樹脂系屋根材に重合されると共に、裏面側に向けて突設して更に前方に延設させた下段部を形成し、更に、一方の対角の角部には、他の樹脂系屋根材と重合する部分を切り欠いた切欠部を形成してなり、
屋根の下地材上に固定した前記樹脂系屋根材の一側に、他の樹脂系屋根材の他側を重合しながら前記他の樹脂系屋根材を前記下地材上に固定して、複数の樹脂系屋根材を左右方向に葺くと共に、この固定された前記樹脂系屋根材の上段部に、他の樹脂系屋根材の下段部を重合して、該他の樹脂系屋根材を前記下地材上に固定し、前述同様に複数の樹脂系屋根材を上方向に葺いて、樹脂系屋根材を家屋等の屋根上に葺いてなる樹脂系屋根材の取付構造。
【請求項２】
請求項１において、
基板先端を上方に一旦折り曲げ、更に後方に折り返して上片を形成した断面略コ字形に形成してなる吊り子を、樹脂系屋根材の上段部近傍に配置して、前記吊り子と共に前記樹脂系屋根材を屋根の下地材上に固定し、この固定された前記吊り子に、他の樹脂系屋根材の延設された下段部を係止して、前記他の樹脂系屋根材を家屋等の屋根上に葺いてなる樹脂系屋根材の取付構造。
【請求項３】
請求項１において、
樹脂系屋根材の上段部に、釘、ネジ等の取付具を貫通可能な取付孔又は取付凹部を形成し、屋根の下地材に前記取付具を固着して、前記樹脂系屋根材を家屋等の屋根上に葺いてなる樹脂系屋根材の取付構造。
【発明の詳細な説明】
【技術分野】
【０００１】
本発明は、家屋等の屋根上に葺かれる樹脂系屋根材の取付構造に関する。
【背景技術】
【０００２】
従来から、家屋等の屋根上に葺かれる樹脂系屋根材には種々のものが知られており、例えば、屋根に葺いた複数の既成瓦と同様の波状の形態をもって一単位とする合成樹脂製の屋根材内にヒーターを内蔵したものがあった（例えば、特許文献１参照。）。
【０００３】
そして、この樹脂系屋根材を家屋等の屋根上に葺くには、従来の瓦葺きと同じく、屋根の下地材上に固定した前記樹脂系屋根材の一側に、他の樹脂系屋根材を重合しながら左右方向に葺くと共に、この固定された前記樹脂系屋根材の上端側（棟側）に、他の樹脂系屋根材の下端側（軒側）を重合させて該他の樹脂系屋根材を下地材上に固定し、以下同様にして、複数の樹脂系屋根材を上方向に葺いて取付けする構造であると思われる。
【特許文献１】特開平６−２４８７６１号
【発明の開示】
【発明が解決しようとする課題】
【０００４】
しかしながら、この樹脂系屋根材の取付構造では、前記他の樹脂系屋根材の下端側（軒側）を、下地材上に固定した前記樹脂系屋根材の上端側（棟側）に載置して重合させた構造であるため、軽量な合成樹脂製である前記他の樹脂系屋根材の下端側（軒側）が、強風等によって吹き上がってしまい、ガタツキを生じ易いという問題があった。
【０００５】
又、前記他の樹脂系屋根材の下端側（軒側）から雨水等が浸入し、前記樹脂系屋根材の上端側（棟側）に向けて前記雨水等が吹き上がって、万一前記樹脂系屋根材の上端側（棟側）を乗り越えてしまうと、前記雨水等が下地材上に浸水して雨漏りを生じるという危険もあった。
【０００６】
更に、前記樹脂系屋根材を、吊り子によって容易に取付けしたいという要望もあった。
【０００７】
本発明は、かかる課題を解決することを目的とし、樹脂系屋根材に重合される他の樹脂系屋根材の下端側（軒側）の吹き上がりを軽減してガタツキを防止できるうえ、雨水等が前記樹脂系屋根材の上端側（棟側）を乗り越えることを防止して、雨漏りが生じることを確実に防止できる樹脂系屋根材の取付構造を提供する。
【課題を解決するための手段】
【０００８】
前記目的を達成するため、
請求項１に係る樹脂系屋根材の取付構造は、家屋等の屋根上に葺かれる樹脂系屋根材の取付構造であって、前記樹脂系屋根材は、波状に形成された瓦部が、上下及び左右方向に複数連設して一体形成され、上端部には、表面側に向けて突設する上段部を形成すると共に、下端部には、他の樹脂系屋根材に重合されると共に、裏面側に向けて突設して更に前方に延設させた下段部を形成し、更に、一方の対角の角部には、他の樹脂系屋根材と重合する部分を切り欠いた切欠部を形成してなり、屋根の下地材上に固定した前記樹脂系屋根材の一側に、他の樹脂系屋根材の他側を重合しながら前記他の樹脂系屋根材を前記下地材上に固定して、複数の樹脂系屋根材を左右方向に葺くと共に、この固定された前記樹脂系屋根材の上段部に、他の樹脂系屋根材の下段部を重合して、該他の樹脂系屋根材を前記下地材上に固定し、前述同様に複数の樹脂系屋根材を上方向に葺いて、樹脂系屋根材を家屋等の屋根上に葺いてなる。
【０００９】
なお、下地材Ｓとは、野地板及び桟木等を含む意味である。
【００１０】
請求項２に係る樹脂系屋根材の取付構造は、請求項１において、基板先端を上方に一旦折り曲げ、更に後方に折り返して上片を形成した断面略コ字形に形成してなる吊り子を、樹脂系屋根材の上段部近傍に配置して、前記吊り子と共に前記樹脂系屋根材を屋根の下地材上に固定し、この固定された前記吊り子に、他の樹脂系屋根材の延設された下段部を係止して、前記他の樹脂系屋根材を家屋等の屋根上に葺いてなる。
【００１１】
請求項３に係る樹脂系屋根材の取付構造は、請求項１において、  樹脂系屋根材の上段部に、釘、ネジ等の取付具を貫通可能な取付孔又は取付凹部を形成し、屋根の下地材に前記取付具を固着して、前記樹脂系屋根材を家屋等の屋根上に葺いてなる。
【発明の効果】
【００１２】
本発明によれば、次のような効果がある。
【００１３】
請求項１に係る樹脂系屋根材の取付構造によれば、下端部には、裏面側に向けて突設して更に前方に延設させた下段部を形成し、該下段部を固定した樹脂系屋根材の上段部に重合する構造にしているので、前記下段部と前記樹脂系屋根材との接触面積を高めて、下端側（軒側）の吹き上がりを軽減して、樹脂系屋根材のガタツキを防止できる。
【００１４】
又、上端部には、表面側に向けて突設する上段部を形成し、この上段部に他の樹脂系屋根材の下段部を重合する構造にしているので、前記他の樹脂系屋根材の下端側（軒側）から雨水等が浸入し、前記樹脂系屋根材の上端側（棟側）に向けて前記雨水等が吹き上がってきても、前記上段部が前記雨水等を確実に阻止して、この雨水等が樹脂系屋根材の上端側（棟側）を乗り越えることを防止し、前記雨水等が下地材上に浸水して雨漏りが生じることを確実に防止できる。
【００１５】
請求項２に係る樹脂系屋根材の取付構造によれば、吊り子を、樹脂系屋根材の上段部近傍に配置して、前記吊り子と共に前記樹脂系屋根材を屋根の下地材上に固定する構造にしているので、この固定された前記吊り子に、他の樹脂系屋根材の延設された下段部を係止するだけで、他の樹脂系屋根材の重合する位置を簡単且つ確実に位置決めすることができる。
【００１６】
請求項３に係る樹脂系屋根材の取付構造によれば、樹脂系屋根材の上段部に、釘、ネジ等の取付具を貫通可能な取付孔又は取付凹部を形成し、屋根の下地材に前記取付具を固着して、前記樹脂系屋根材を家屋等の屋根上に葺いてなる構造にしているので、これら釘、ネジ等の取付具の取付け位置を均一にして簡単且つ確実に取付けできる。
【発明を実施するための最良の形態】
【００１７】
以下、本発明に係る樹脂系屋根材の取付構造を図面とともに説明する。
【実施例１】
【００１８】
図１は、本発明に係る樹脂系屋根材Ａの一実施例を示す斜視図であり、図２は、図１の要部を拡大した樹脂系屋根材Ａの取付構造を示す要部断面図である。
【００１９】
本発明の取付構造に用いる樹脂系屋根材Ａは、家屋等の屋根上に葺かれるもので、波状に形成された瓦部Ａ１が、上下及び左右方向に複数連設して一体形成され、上端部には、表面側に向けて突設する上段部１を形成すると共に、下端部には、他の樹脂系屋根材に重合されると共に、裏面側に向けて突設して更に前方に延設させた下段部２を形成し、更に、一方の対角の角部には、他の樹脂系屋根材と重合する部分を切り欠いた切欠部３を形成してなる。
【００２０】
更に具体的には、樹脂系屋根材Ａは、波状に形成した複数の瓦部Ａ１が、繊維強化プラスチック（ＦＲＰ）によって上下及び左右方向に複数連設して一体成形されて１つのユニットを形成してなり、昔ながらの燻瓦に比べて、軽量且つ施工性に優れている。
【００２１】
上段部１は、樹脂系屋根材Ａの上端部に、表面側に向けて突設すると共に、左右方向に連続した略Ｚ状に形成してなる。
【００２２】
この上段部１の高さは、軒方向（下方向）から、万一雨水等が浸入した際に、この雨水等が乗り越えることができないように形成していれば良い。
【００２３】
下段部２は、樹脂系屋根材Ａの下端部に、裏面側に向けて突設して更に前方に延設させると共に、左右方向に連続した略Ｚ状に形成してなる。
【００２４】
この下段部２の高さは、少なくとも上段部１の高さ以上に形成していれば良い。
【００２５】
又、樹脂系屋根材Ａの一方の対角の角部には、他の樹脂系屋根材と重合する部分を略四角状に切り欠いた切欠部３を形成してなり、この切欠部３を形成することで、屋根上に葺かれる樹脂系屋根材Ａの角部が４重に重なり合うことなく、他の樹脂系屋根材を回避しながら葺くことができる。
【００２６】
このように形成した樹脂系屋根材Ａは、以下の要領で施工する。
【００２７】
先ず、屋根の下地材Ｓ上の適所に本発明の樹脂系屋根材Ａを配置し、上段部１の上方から釘、ネジ等の取付具４を下地材Ｓに貫通して固定するのであるが、この上段部１に、釘、ネジ等の取付具４を貫通可能な取付孔又は取付凹部３を形成しておけば、これら釘、ネジ等の取付具４の取付け位置を均一にして簡単且つ確実に取付けできる。
【００２８】
次に、この固定した樹脂系屋根材Ａの一側（左、右の何れかの方向）に、他の樹脂系屋根材（不図示）の他側を重合しながら前記他の樹脂系屋根材（不図示）を下地材Ｓ上に固定して、複数の樹脂系屋根材Ａを左右方向に葺いて行く。
【００２９】
そして、この固定された樹脂系屋根材Ａの上段部１に、他の樹脂系屋根材Ａ’の下段部２’を被せて重合し、該他の樹脂系屋根材Ａ’の上段部（不図示）を前記同様に取付具４にて下地材Ｓ上に固定し、以下、前述同様に複数の樹脂系屋根材Ａ’を上方向に葺いて、樹脂系屋根材Ａ、Ａ’を家屋等の屋根上に葺いて行くのである。
【００３０】
このように本発明の樹脂系屋根材Ａによれば、下端部には、裏面側に向けて突設して更に前方に延設させた下段部２’（２）を形成し、該下段部２’（２）を、固定した樹脂系屋根材Ａの上段部１に重合する構造にしているので、下段部２’（２）と樹脂系屋根材Ａとの接触面積を高めることができ、強風等による下端側（軒側）からの吹き上がりを軽減して、樹脂系屋根材Ａ’（Ａ）のガタツキを防止できる。
【００３１】
又、樹脂系屋根材Ａの上端部には、表面側に向けて突設する上段部１を形成し、この上段部１に他の樹脂系屋根材Ａ’の下段部２’を重合する構造にしているので、記他の樹脂系屋根材Ａ’の下端側（軒側）から雨水等が浸入しようとしても、接触面積の高い下段部２’によって雨水等の浸入を軽減できるうえ、万一、樹脂系屋根材Ａ’の上端側（棟側）に向けて前記雨水等が吹き上がって浸入しても、上段部１が前記雨水等を確実に阻止して、この雨水等が樹脂系屋根材Ａの上端側（棟側）を乗り越えることを防止し、前記雨水等が下地材Ｓ上に浸水して雨漏りが生じることを確実に防止できるのである。
【実施例２】
【００３２】
図３は、本発明に係る樹脂系屋根材Ａの他の実施例を示す要部を拡大した取付構造を示す要部断面図である。
【００３３】
なお、図１及び図２と共通する部位には、同一の符号を付して、重複する説明を省略し、ここでは、本実施例の特徴についてのみ説明する。
【００３４】
すなわち、本実施例で示す樹脂系屋根材Ａの取付構造は、吊り子５を用いて葺く構造である点に特徴がある。
【００３５】
具体的には、樹脂系屋根材Ａを下地材Ｓ上に配置し、上段部１の上方から釘、ネジ等の取付具４を下地材Ｓに貫通して固定する際、基板先端を上方に一旦折り曲げ、更に後方に折り返して上片を形成した断面略コ字形に形成してなる吊り子５を、上段部１近傍に配置すると共に、この吊り子５の上方から釘、ネジ等の取付具４を下地材Ｓに貫通して樹脂系屋根材Ａを固定し、前述の要領にて複数の樹脂系屋根材Ａを左右方向に葺いて行く。
【００３６】
そして、この固定された吊り子５に、他の樹脂系屋根材Ａ’の延設された下段部２’を係止して、他の樹脂系屋根材Ａ’にも前記同様の吊り子（不図示）を配置したうえで、他の樹脂系屋根材Ａ’を下地材Ｓ上に固定し、以下、前述同様に複数の樹脂系屋根材Ａ’を上方向に葺いて、樹脂系屋根材Ａ、Ａ’を家屋等の屋根上に葺いて行くのである。
【００３７】
このように、吊り子５を、樹脂系屋根材Ａの上段部１近傍に配置して、吊り子５と共に樹脂系屋根材Ａを屋根の下地材Ｓ上に固定する構造にしているので、この固定された吊り子５に、他の樹脂系屋根材Ａ’の延設された下段部２’を係止するだけで、他の樹脂系屋根材Ａ’の重合する位置を簡単且つ確実に位置決めすることができると共に、他の樹脂系屋根材Ａ’の下段部２’の吹き上がりやガタツキも確実に防止できる。
【図面の簡単な説明】
【００３８】
【図１】本発明に係る樹脂系屋根材Ａの一実施例を示す斜視図である。
【図２】図１の要部を拡大して示した施工状態の断面図である。
【図３】本発明に係る樹脂系屋根材Ａの他の実施例を示す要部を示した拡大断面図である。
【符号の説明】
【００３９】
Ａ    樹脂系屋根材
Ａ’  他の樹脂系屋根材
Ａ１  瓦部
１    上段部
２    下段部
３    切欠部
４    取付具
５    吊り子
【図１】
2009185558.tif 000003
【図２】
2009185558.tif 000004
【図３】
2009185558.tif 000005
【手続補正書】
【提出日】平成21年1月19日(2009.1.19)
【手続補正１】
【補正対象書類名】明細書
【補正対象項目名】００２７
【補正方法】変更
【補正の内容】
【００２７】
先ず、屋根の下地材Ｓ上の適所に本発明の樹脂系屋根材Ａを配置し、上段部１の上方から釘、ネジ等の取付具４を下地材Ｓに貫通して固定するのであるが、この上段部１に、釘、ネジ等の取付具４を貫通可能な取付孔又は取付凹部６を形成しておけば、これら釘、ネジ等の取付具４の取付け位置を均一にして簡単且つ確実に取付けできる。
【手続補正２】
【補正対象書類名】図面
【補正対象項目名】図２
【補正方法】変更
【補正の内容】
【図２】
2009185558.tif 000006
【手続補正３】
【補正対象書類名】図面
【補正対象項目名】図３
【補正方法】変更
【補正の内容】
【図３】
2009185558.tif 000007